(57)【要約】      （修正有）【課題】携帯品を携帯でき、さらに、野外のおける突然の雨、寒さ等に対応出来るアウターウェア付き携帯品吊り下げストラップを提供する。【解決手段】アウターウェア付き携帯品吊り下げストラップであって、ストラップには、袋体２を設け、袋体２の両端と紐体３の両端を縫合することによって、袋体と紐体でループ状を形成し、アウターウェアを構成するフード及びコート本体の一端を袋体の内側に縫合し、アウターウェアを袋体に収納可能に設け、紐体の少なくとも折り返し部分に、携帯品が係止できる着脱式の吊具４を設ける構成としたアウターウェア付き携帯品吊り下げストラップである。【選択図】図１
0003156263.tif 000002
【実用新案登録請求の範囲】
【請求項１】
アウターウェア付き携帯品吊り下げストラップであって、
このストラップには、袋体を設け、この袋体の両端と紐体の両端を縫合することによって、前記袋体と前記紐体でループ状を形成し、
前記アウターウェアを構成するフード及びコート本体のそれぞれ一端を、前記袋体の内側に縫合し、このアウターウェアを前記袋体に折畳み収納可能に設け、
前記紐体の少なくとも折り返し部分に、携帯品が係止できる着脱式の吊具を設ける構成としたアウターウェア付き携帯品吊り下げストラップ。
【請求項２】
請求項１のアウターウェア付き携帯品吊り下げストラップであって、
前記袋体と紐体との間に、安全ジョイントを介在する構成としたアウターウェア付き携帯品吊り下げストラップ。
【請求項３】
請求項１又は請求項２のアウターウェア付き携帯品吊り下げストラップであって、
前記紐体の表面及び／又は裏面に文字、図形を印刷する構成としたアウターウェア付き携帯品吊り下げストラップ。
【請求項４】
請求項１乃至請求項３のアウターウェア付き携帯品吊り下げストラップであって、
前記袋体及び／又はアウターウェアに文字、図形を印刷する構成としたアウターウェア付き携帯品吊り下げストラップ。
【請求項５】
請求項１乃至請求項４のいずれか一に記載のアウターウェア付き携帯品吊り下げストラップであって、
前記袋体に冷却剤又はカイロ、照明部を設ける構成としたアウターウェア付き携帯品吊り下げストラップ。
【考案の詳細な説明】
【技術分野】
【０００１】
本考案は、手軽に持ち運び可能なアウターウェア付き携帯品吊り下げストラップに関する。
【背景技術】
【０００２】
屋根のない野球場、サーキット等でスポーツ観戦を行う場合や、野外でレジャーを楽しんでいる場合等は、急な雨に悩まされることがある。また、野外等においては、急な寒さに見舞われることもある。
【０００３】
このような場合、雨を凌ぐレインコートや、寒さを和らげるウインドブレーカーのようなアウターウェアがあると重宝する。
【０００４】
しかし、レインコートやウインドブレーカー等のアウターウェアをわざわざ携行すると、スポーツ観戦等において邪魔になる場合があるため、衣類等に付けることができる以下の様な雨具が重宝する。
【０００５】
文献（１）は、実開昭６３−１３５９０９「携帯用雨具」で、その内容は、薄地で折畳みにより嵩低となるシートを素材とする雨具本体の腰部裏面に、長さが背側から両脇線付近に達する寸法の長方形で、長側両辺縁にスライドファスナーを両半片をそれぞれ付設した強靭なシートを取付け、且つこの長方形シートの外面側において幅方向中央部に、被着者の腰部への取付用部材を付設したことを特徴とする携帯用雨具であり、雨が降り出せばスライドファスナーを開いて雨具本体を広げ、直ちに着用でき、この雨具を腰に付けておいても、ゴルフ等に何等支障がないとするものである。
【０００６】
また、文献（２）は、実開平２−１２５９０８で、その内容は、縦長に折りたたんで、ベルト上や腹部に巻きつけ、止具とともに使用する、レイコート形式の簡易雨ガッパ
で、縦長に折りたたんだレインコート形式の簡易雨ガッパをズボンやスカートのベルトの上や、その上の腹部に巻きつけ、様々な形状の止具で固定することによって雨ガッパの携帯を極めて容易にするものである。
【０００７】
【特許文献１】実開昭６３−１３５９０９
【特許文献２】実開平２−１２５９０８
【考案の開示】
【考案が解決しようとする課題】
【０００８】
しかし、このような文献（１）、文献（２）に係る考案では、ベルト周辺のお腹周りに雨具を取り付ける構成であるため、取り付けた際に窮屈になる場合がある。また、スポーツ観戦を行う場合は、椅子等に腰掛けて観戦する場合が多いが、このような場合は特に、お腹周りが圧迫されてかなり窮屈な状態を強いられることとなる。さらに、妊婦においては、母体及び／又は胎児に重大な問題を引き起こす虞がある。
【０００９】
また、これら文献（１）、文献（２）に係る考案では、装着に時間がかかる場合があるため、手軽に携行できるようなものではない。
【００１０】
さて、ここで話は変わるが、現在、携帯電話は、通話は勿論のこと、メール作成、カメラ撮影や、テレビの視聴の他、音楽プレイヤー、電子マネー、クレジットカード等多様な機能を有するようになってきており、どこへ行くにも手放せない物の一つであるといえ、特に屋外においては必携品といえる。
【００１１】
また、夏の暑い時期の屋外においては、こまめな水分補給が必要となるが、飲料水を購入する場所が離れていたり、飲料水を買いに行けるような状況でない場合は、飲料水を手元に置いておく必要があるといえる。
【００１２】
すなわち、屋外に身を置くような場合、これら携帯電話、飲料水をはじめとして様々な必携品が多数存在することは否めない。
【００１３】
したがって、これらの必携品を携帯でき、さらに加えて、上述したように、野外のおける突然の雨、寒さ等の問題を解決できる機能を合わせ持った手軽に持ち運びできる製品が望まれるところであるが、このような製品は存在しなかった。
【課題を解決するための手段】
【００１４】
請求項１の考案は、屋外に携帯品と一緒に手軽に携行でき、かつ、急な雨や急な寒さにも対応できる。
【００１５】
請求項１は、アウターウェア付き携帯品吊り下げストラップであって、このストラップには、袋体を設け、この袋体の両端と紐体の両端を縫合することによって、前記袋体と前記紐体でループ状を形成し、前記アウターウェアを構成するフード及びコート本体のそれぞれ一端を、前記袋体の内側に縫合し、このアウターウェアを前記袋体に折畳み収納可能に設け、前記紐体の少なくとも折り返し部分に、携帯品が係止できる着脱式の吊具を設ける構成としたアウターウェア付き携帯品吊り下げストラップである。
【００１６】
請求項２の考案は、請求項１の目的を達成しつつ、一定の力が加わると安全ジョイントが外れるため、思わぬ事故を回避することができる。
【００１７】
請求項２は、請求項１のアウターウェア付き携帯品吊り下げストラップであって、前記袋体と紐体との間に、安全ジョイントを介在する構成としたアウターウェア付き携帯品吊り下げストラップである。
【００１８】
請求項３の考案は、請求項１又は請求項２の目的を達成しつつ、紐体の表面及び／又は裏面に、会社のロゴマークやイメージキャラクタ、商品名等を印刷して、販売・無料配布等を行うことにより、会社、商品の広告的な役割を果たすことができる。
【００１９】
請求項３は、請求項１又は請求項２のアウターウェア付き携帯品吊り下げストラップであって、前記紐体の表面及び／又は裏面に文字、図形を印刷する構成としたアウターウェア付き携帯品吊り下げストラップである。
【００２０】
請求項４の考案は、請求項１乃至請求項３の目的を達成しつつ、袋体及び／又はアウターウェアに、会社のロゴマークやイメージキャラクタ、商品名等を印刷して、販売・無料配布等を行うことにより、会社、商品の広告的な役割を果たすことができる。
【００２１】
請求項４は、請求項１乃至請求項３のアウターウェア付き携帯品吊り下げストラップであって、前記袋体及び／又はアウターウェアに文字、図形を印刷する構成としたアウターウェア付き携帯品吊り下げストラップである。
【００２２】
請求項５の考案は、請求項１乃至請求項４いずれか一に記載の目的を達成しつつ、袋体のポケットに冷却剤を充填することによって首や肩を冷すことができる。また、袋体のポケットにカイロを充填することによって首や肩を温めることができる。さらに、照明部によって、夜道等での視認性を高めることもできる。
【００２３】
請求項５は、請求項１乃至請求項４のいずれか一に記載のアウターウェア付き携帯品吊り下げストラップであって、前記袋体に冷却剤又はカイロ、照明部を設ける構成としたアウターウェア付き携帯品吊り下げストラップである。
【考案の効果】
【００２４】
請求項１は、アウターウェア付き携帯品吊り下げストラップであって、ストラップには、袋体を設け、袋体の両端と紐体の両端を縫合することによって、袋体と前記紐体でループ状を形成し、アウターウェアを構成するフード及びコート本体のそれぞれ一端を、袋体の内側に縫合し、アウターウェアを袋体に折畳み収納可能に設け、紐体の少なくとも折り返し部分に、携帯品が係止できる着脱式の吊具を設ける構成としたアウターウェア付き携帯品吊り下げストラップである。
【００２５】
したがって、請求項１の考案は、屋外に携帯品と一緒に手軽に携行でき、かつ、急な雨や急な寒さにも対応できる。
【００２６】
請求項２は、請求項１のアウターウェア付き携帯品吊り下げストラップであって、袋体と紐体との間に、安全ジョイントを介在する構成としたアウターウェア付き携帯品吊り下げストラップである。
【００２７】
したがって、請求項２の考案は、請求項１の目的を達成しつつ、一定の力が加わると安全ジョイントが外れるため、思わぬ事故を回避することができる。
【００２８】
請求項３は、請求項１又は請求項２のアウターウェア付き携帯品吊り下げストラップであって、紐体の表面及び／又は裏面に文字、図形を印刷する構成としたアウターウェア付き携帯品吊り下げストラップである。
【００２９】
したがって、請求項３の考案は、請求項１又は請求項２の目的を達成しつつ、紐体の表面及び／又は裏面に、会社のロゴマークやイメージキャラクタ、商品名等を印刷して、販売・無料配布等を行うことにより、会社、商品の広告的な役割を果たすことができる。
【００３０】
請求項４は、請求項１乃至請求項３のアウターウェア付き携帯品吊り下げストラップであって、袋体及び／又はアウターウェアに文字、図形を印刷する構成としたアウターウェア付き携帯品吊り下げストラップである。
【００３１】
したがって、請求項４の考案は、請求項１乃至請求項３の目的を達成しつつ、袋体及び／又はアウターウェアに、会社のロゴマークやイメージキャラクタ、商品名等を印刷して、販売・無料配布等を行うことにより、会社、商品の広告的な役割を果たすことができる。
【００３２】
請求項５は、請求項１乃至請求項４のいずれか一に記載のアウターウェア付き携帯品吊り下げストラップであって、袋体に冷却剤又はカイロ、照明部を設ける構成としたアウターウェア付き携帯品吊り下げストラップである。
【００３３】
したがって、請求項５の考案は、請求項１乃至請求項４いずれか一に記載の目的を達成しつつ、袋体のポケットに冷却剤を充填することによって首や肩を冷すことができる。また、袋体のポケットにカイロを充填することによって首や肩を温めることができる。さらに、照明部によって、夜道等での視認性を高めることもできる。
【図面の簡単な説明】
【００３４】
【図１】本考案の一実施例の概略図である。
【図２】本考案の袋体の拡大図である。
【図３】本考案の袋体とアウターウェアの縫合部分の概略図である。
【図４】本考案の一実施例の一部拡大図である。
【図５】本考案を首から吊り下げた状態の使用図である。
【図６】本考案のアウターウェアを装着した状態の使用図である。
【図７】本考案の一実施例の袋体の拡大断面図である。
【図８】本考案の一実施例のアウターウェアに会社名を入れた概略図である。
【図９】本考案の一実施例の紐体に会社名を入れた概略図である。
【考案を実施するための最良の形態】
【００３５】
以下、本考案の好ましい一例を以下説明する。
【００３６】
本考案の構成物品を大別すると、例えば、アウターウェア１と、このアウターウェア１が縫合され、かつアウターウェア１が収納可能な袋体２と、紐体３と、着脱式の吊具４等とからなる。
【００３７】
袋体２は、使用者２０が本考案を首２１や肩２２に掛けた際に当接される物品で、この袋体２に折り畳んだ状態のアウターウェア１が収納される。
【００３８】
このアウターウェア１は袋体２の内側に縫合されている。具体的には、アウターウェア１を構成するフード１ａの一端を袋体２の内側２ｅに縫合する。また、同じくアウターウェア１を構成するコート本体１ｂの一端を袋体２の内側２ｅに縫合する。このようにアウターウェア１を袋体２の内側２ｅに縫合することによりアウターウェア１と袋体２が一体となるため、アウターウェア１だけが紛失することはない。袋体２にアウターウェア１が収納されている状態にあっては、袋体２はある程度の厚みがあり、外部からの衝撃を受けた際にも衝撃を緩和することもできるため、予期せぬ事故等も回避できる。
【００３９】
そして、このアウターウェア１を袋体２から取り出す際は、袋体２に設けたファスナー２ｃを利用することによって行う他、図示しない面ファスナー等を利用してもよい。そして、アウターウェア１を使用した後は、アウターウェア１を折畳んで袋体２に収納する。なお、ここでは、アウターウェア１を袋体２の内側２ｅに縫合した例を説明したが、アウターウェア１を袋体２に縫合せず、アウターウェア１が袋体２から取り外し可能な構成とすることも可能である。
【００４０】
ここで、アウターウェア１とは、例えば、レインコート、ウインドブレーカー等が挙げられるが、これらに限定されるものではない。その他、図８のように、アウターウェア１をレインコートやウインドブレーカーとした場合、レインコートの背部に文字や図形等を印刷する構成とすることも可能である。
【００４１】
この袋体２と紐体３の両端を縫合することによって、袋体２と紐体３が全体としてループ状に形成される。具体的には、袋体２の一方２ａと紐体３の一方３ａを縫合し、袋体２の他方２ｂと紐体３の他方３ｂを縫合することによって、袋体２と紐体３でループ状に形成される。
【００４２】
紐体３の長さは本考案の使用者２０の体躯にもよるが、一般的な大人用であれば５０センチ程度、子ども用であればさらに短くするのが望ましい。なお、使用者２０の体躯に合わせることができるように、紐体３の長さを調節できる調整具を設ける構成でもよい。
【００４３】
また、図９のように、紐体３の表面３ｃ及び／又は裏面３ｄに、会社のロゴマークやイメージキャラクタ、商品名等を印刷して販売・無料配布等を行うことにより、会社、商品の広告的な役割を果たすことができる。
【００４４】
そして、紐体３の少なくとも折り返し部３ｅ付近において着脱式の吊具４を介在させる。ここで、着脱式の吊具４の構成の構成物品を説明すると、係合体５、装着具８、連結紐７からなる。
【００４５】
係合体５は、一対の雄体５ａ、雌体５ｂを着脱自由に係合できるもので、雄体５ａの側部に設けられたロック解除用の押片５ａ１を内方へ押すとロックが外れて分離可能となる。
【００４６】
そして、紐体３への係合体５の取り付けは、雄体５ａの取り付け穴５ａ２に紐体３の一端部を通して折り返し、その折り返し部３ｅ付近を重ね合わせて縫い合わせることによって行われる。
【００４７】
また、係合体５と携帯品３０を装着する装着具８は、連結紐７で連結されている。具体的には、雌体５ｂの取り付け穴５ｂ１に連結紐７の一端部を通し、さらに装着具８のリングにも通して折り返し、この連結紐６の一端部と他端部を重ね合わせて縫い合わせることによって行われる。
【００４８】
装着具８には、例えば、携帯品３０である携帯電話を連結するストラップや、デジタルカメラを連結するストラップ、ポータブルオーディオプレーヤーやポータブルラジオ等を連結するストラップ、ペットボトルホルダー、なす環、スナップフック等、本考案の使用者２０の用途に合わせて装着することができる。
【００４９】
なお、図４で示したように、袋体２と着脱式の吊具４との間には、安全ジョイント９を介在させることができる。この安全ジョイント９は、一定の力が加わると外れるため、特に子どもの思わぬ事故を回避することができる。
【００５０】
また、図７で示したように、袋体２の首２１や肩２２に当たる部分に冷却剤１０を設けることもできる。具体的には、袋体２の首２１や肩２２に当たる部分にポケット２ｄを設け、このポケット２ｄに冷却剤１０を充填することによって首２１や肩２２を冷すことができる。なお、ポケット２ｄ内に充填した冷却剤１０は、可撓性があるものとすることによって本考案の使用者の首２１や肩２２の形に合致するように変形自在となり、望ましい。その他、ポケットにカイロを充填することによって首や肩を温めることができる。
【００５１】
図示しないが、袋体２や紐体３に蛍光塗料や夜行塗料等を塗布した構成とすることもできる。この場合、より鮮やかな色彩で発光させることができ、また、暗闇において外部からの視認性を高めると共に、多彩な発光色を楽しむことができる。
【００５２】
さらに、袋体２等にＬＥＤ等の照明部１１を設ける構成としてもよい。この照明部１１を設けた構成の場合は、夜道等で自らの存在を知らせることができるため、交通事故の防止に役立つ。
【符号の説明】
【００５３】
１              アウターウェア
１ａ            フード
１ｂ            コート本体
２              袋体
２ａ            一方
２ｂ            多方
２ｃ            ファスナー
２ｄ            ポケット
２ｅ            内側
３              紐体
３ａ            一方
３ｂ            多方
３ｃ            表面
３ｄ            裏面
３ｅ            折り返し部
４              着脱式の吊具
５              係合体
５ａ            雄体
５ａ１          押片
５ａ２          取り付け穴
５ｂ            雌体
５ｂ１          取り付け穴
７              連結紐
８              装着具
９              安全ジョイント
１０            冷却剤
１１            照明部
２０            使用者
２１            首
２２            肩
３０            携帯品
【図１】
0003156263.tif 000003
【図２】
0003156263.tif 000004
【図３】
0003156263.tif 000005
【図４】
0003156263.tif 000006
【図５】
0003156263.tif 000007
【図６】
0003156263.tif 000008
【図７】
0003156263.tif 000009
【図８】
0003156263.tif 000010
【図９】
0003156263.tif 000011
【手続補正書】
【提出日】平成21年10月13日(2009.10.13)
【手続補正１】
【補正対象書類名】実用新案登録請求の範囲
【補正対象項目名】全文
【補正方法】変更
【補正の内容】
【実用新案登録請求の範囲】
【請求項１】
アウターウェア付き携帯品吊り下げストラップであって、
このストラップには、袋体を設け、この袋体の両端と紐体の両端を縫合することによって、前記袋体と前記紐体でループ状を形成し、
前記アウターウェアを構成するフード及びコート本体のそれぞれ一端を、前記袋体の内側に縫合し、このアウターウェアを前記袋体に折畳み収納可能に設け、
前記紐体の少なくとも折り返し部分に、携帯品が係止できる着脱式の吊具を設ける構成としたアウターウェア付き携帯品吊り下げストラップ。
【請求項２】
請求項１のアウターウェア付き携帯品吊り下げストラップであって、
前記袋体と紐体との間に、安全ジョイントを介在する構成としたアウターウェア付き携帯品吊り下げストラップ。
【請求項３】
請求項１又は請求項２のアウターウェア付き携帯品吊り下げストラップであって、
前記紐体の表面及び／又は裏面に文字、図形を印刷する構成としたアウターウェア付き携帯品吊り下げストラップ。
【請求項４】
請求項１乃至請求項３のいずれか一に記載のアウターウェア付き携帯品吊り下げストラップであって、
前記袋体及び／又はアウターウェアに文字、図形を印刷する構成としたアウターウェア付き携帯品吊り下げストラップ。
【請求項５】
請求項１乃至請求項４のいずれか一に記載のアウターウェア付き携帯品吊り下げストラップであって、
前記袋体に冷却剤又はカイロ、照明部を設ける構成としたアウターウェア付き携帯品吊り下げストラップ。
【手続補正２】
【補正対象書類名】明細書
【補正対象項目名】全文
【補正方法】変更
【補正の内容】
【考案の詳細な説明】
【技術分野】
【０００１】
本考案は、手軽に持ち運び可能なアウターウェア付き携帯品吊り下げストラップに関する。
【背景技術】
【０００２】
屋根のない野球場、サーキット等でスポーツ観戦を行う場合や、野外でレジャーを楽しんでいる場合等は、急な雨に悩まされることがある。また、野外等においては、急な寒さに見舞われることもある。
【０００３】
このような場合、雨を凌ぐレインコートや、寒さを和らげるウインドブレーカーのようなアウターウェアがあると重宝する。
【０００４】
しかし、レインコートやウインドブレーカー等のアウターウェアをわざわざ携行すると、スポーツ観戦等において邪魔になる場合があるため、衣類等に付けることができる以下の様な雨具が重宝する。
【０００５】
文献（１）は、実開昭６３−１３５９０９「携帯用雨具」で、その内容は、薄地で折畳みにより嵩低となるシートを素材とする雨具本体の腰部裏面に、長さが背側から両脇線付近に達する寸法の長方形で、長側両辺縁にスライドファスナーを両半片をそれぞれ付設した強靭なシートを取付け、且つこの長方形シートの外面側において幅方向中央部に、被着者の腰部への取付用部材を付設したことを特徴とする携帯用雨具であり、雨が降り出せばスライドファスナーを開いて雨具本体を広げ、直ちに着用でき、この雨具を腰に付けておいても、ゴルフ等に何等支障がないとするものである。
【０００６】
また、文献（２）は、実開平２−１２５９０８で、その内容は、縦長に折りたたんで、ベルト上や腹部に巻きつけ、止具とともに使用する、レイコート形式の簡易雨ガッパ
で、縦長に折りたたんだレインコート形式の簡易雨ガッパをズボンやスカートのベルトの上や、その上の腹部に巻きつけ、様々な形状の止具で固定することによって雨ガッパの携帯を極めて容易にするものである。
【０００７】
【特許文献１】実開昭６３−１３５９０９
【特許文献２】実開平２−１２５９０８
【考案の開示】
【考案が解決しようとする課題】
【０００８】
しかし、このような文献（１）、文献（２）に係る考案では、ベルト周辺のお腹周りに雨具を取り付ける構成であるため、取り付けた際に窮屈になる場合がある。また、スポーツ観戦を行う場合は、椅子等に腰掛けて観戦する場合が多いが、このような場合は特に、お腹周りが圧迫されてかなり窮屈な状態を強いられることとなる。さらに、妊婦においては、母体及び／又は胎児に重大な問題を引き起こす虞がある。
【０００９】
また、これら文献（１）、文献（２）に係る考案では、装着に時間がかかる場合があるため、手軽に携行できるようなものではない。
【００１０】
さて、ここで話は変わるが、現在、携帯電話は、通話は勿論のこと、メール作成、カメラ撮影や、テレビの視聴の他、音楽プレイヤー、電子マネー、クレジットカード等多様な機能を有するようになってきており、どこへ行くにも手放せない物の一つであるといえ、特に屋外においては必携品といえる。
【００１１】
また、夏の暑い時期の屋外においては、こまめな水分補給が必要となるが、飲料水を購入する場所が離れていたり、飲料水を買いに行けるような状況でない場合は、飲料水を手元に置いておく必要があるといえる。
【００１２】
すなわち、屋外に身を置くような場合、これら携帯電話、飲料水をはじめとして様々な必携品が多数存在することは否めない。
【００１３】
したがって、これらの必携品を携帯でき、さらに加えて、上述したように、野外のおける突然の雨、寒さ等の問題を解決できる機能を合わせ持った手軽に持ち運びできる製品が望まれるところであるが、このような製品は存在しなかった。
【課題を解決するための手段】
【００１４】
請求項１の考案は、屋外に携帯品と一緒に手軽に携行でき、かつ、急な雨や急な寒さにも対応できる。
【００１５】
請求項１は、アウターウェア付き携帯品吊り下げストラップであって、このストラップには、袋体を設け、この袋体の両端と紐体の両端を縫合することによって、前記袋体と前記紐体でループ状を形成し、前記アウターウェアを構成するフード及びコート本体のそれぞれ一端を、前記袋体の内側に縫合し、このアウターウェアを前記袋体に折畳み収納可能に設け、前記紐体の少なくとも折り返し部分に、携帯品が係止できる着脱式の吊具を設ける構成としたアウターウェア付き携帯品吊り下げストラップである。
【００１６】
請求項２の考案は、請求項１の目的を達成しつつ、一定の力が加わると安全ジョイントが外れるため、思わぬ事故を回避することができる。
【００１７】
請求項２は、請求項１のアウターウェア付き携帯品吊り下げストラップであって、前記袋体と紐体との間に、安全ジョイントを介在する構成としたアウターウェア付き携帯品吊り下げストラップである。
【００１８】
請求項３の考案は、請求項１又は請求項２の目的を達成しつつ、紐体の表面及び／又は裏面に、会社のロゴマークやイメージキャラクタ、商品名等を印刷して、販売・無料配布等を行うことにより、会社、商品の広告的な役割を果たすことができる。
【００１９】
請求項３は、請求項１又は請求項２のアウターウェア付き携帯品吊り下げストラップであって、前記紐体の表面及び／又は裏面に文字、図形を印刷する構成としたアウターウェア付き携帯品吊り下げストラップである。
【００２０】
請求項４の考案は、請求項１乃至請求項３のいずれか一に記載の目的を達成しつつ、袋体及び／又はアウターウェアに、会社のロゴマークやイメージキャラクタ、商品名等を印刷して、販売・無料配布等を行うことにより、会社、商品の広告的な役割を果たすことができる。
【００２１】
請求項４は、請求項１乃至請求項３のいずれか一に記載のアウターウェア付き携帯品吊り下げストラップであって、前記袋体及び／又はアウターウェアに文字、図形を印刷する構成としたアウターウェア付き携帯品吊り下げストラップである。
【００２２】
請求項５の考案は、請求項１乃至請求項４いずれか一に記載の目的を達成しつつ、袋体のポケットに冷却剤を充填することによって首や肩を冷すことができる。また、袋体のポケットにカイロを充填することによって首や肩を温めることができる。さらに、照明部によって、夜道等での視認性を高めることもできる。
【００２３】
請求項５は、請求項１乃至請求項４のいずれか一に記載のアウターウェア付き携帯品吊り下げストラップであって、前記袋体に冷却剤又はカイロ、照明部を設ける構成としたアウターウェア付き携帯品吊り下げストラップである。
【考案の効果】
【００２４】
請求項１は、アウターウェア付き携帯品吊り下げストラップであって、ストラップには、袋体を設け、袋体の両端と紐体の両端を縫合することによって、袋体と前記紐体でループ状を形成し、アウターウェアを構成するフード及びコート本体のそれぞれ一端を、袋体の内側に縫合し、アウターウェアを袋体に折畳み収納可能に設け、紐体の少なくとも折り返し部分に、携帯品が係止できる着脱式の吊具を設ける構成としたアウターウェア付き携帯品吊り下げストラップである。
【００２５】
したがって、請求項１の考案は、屋外に携帯品と一緒に手軽に携行でき、かつ、急な雨や急な寒さにも対応できる。
【００２６】
請求項２は、請求項１のアウターウェア付き携帯品吊り下げストラップであって、袋体と紐体との間に、安全ジョイントを介在する構成としたアウターウェア付き携帯品吊り下げストラップである。
【００２７】
したがって、請求項２の考案は、請求項１の目的を達成しつつ、一定の力が加わると安全ジョイントが外れるため、思わぬ事故を回避することができる。
【００２８】
請求項３は、請求項１又は請求項２のアウターウェア付き携帯品吊り下げストラップであって、紐体の表面及び／又は裏面に文字、図形を印刷する構成としたアウターウェア付き携帯品吊り下げストラップである。
【００２９】
したがって、請求項３の考案は、請求項１又は請求項２の目的を達成しつつ、紐体の表面及び／又は裏面に、会社のロゴマークやイメージキャラクタ、商品名等を印刷して、販売・無料配布等を行うことにより、会社、商品の広告的な役割を果たすことができる。
【００３０】
請求項４は、請求項１乃至請求項３のいずれか一に記載のアウターウェア付き携帯品吊り下げストラップであって、袋体及び／又はアウターウェアに文字、図形を印刷する構成としたアウターウェア付き携帯品吊り下げストラップである。
【００３１】
したがって、請求項４の考案は、請求項１乃至請求項３のいずれか一に記載の目的を達成しつつ、袋体及び／又はアウターウェアに、会社のロゴマークやイメージキャラクタ、商品名等を印刷して、販売・無料配布等を行うことにより、会社、商品の広告的な役割を果たすことができる。
【００３２】
請求項５は、請求項１乃至請求項４のいずれか一に記載のアウターウェア付き携帯品吊り下げストラップであって、袋体に冷却剤又はカイロ、照明部を設ける構成としたアウターウェア付き携帯品吊り下げストラップである。
【００３３】
したがって、請求項５の考案は、請求項１乃至請求項４いずれか一に記載の目的を達成しつつ、袋体のポケットに冷却剤を充填することによって首や肩を冷すことができる。また、袋体のポケットにカイロを充填することによって首や肩を温めることができる。さらに、照明部によって、夜道等での視認性を高めることもできる。
【図面の簡単な説明】
【００３４】
【図１】本考案の一実施例の概略図である。
【図２】本考案の袋体の拡大図である。
【図３】本考案の袋体とアウターウェアの縫合部分の概略図である。
【図４】本考案の一実施例の一部拡大図である。
【図５】本考案を首から吊り下げた状態の使用図である。
【図６】本考案のアウターウェアを装着した状態の使用図である。
【図７】本考案の一実施例の袋体の拡大断面図である。
【図８】本考案の一実施例のアウターウェアに会社名を入れた概略図である。
【図９】本考案の一実施例の紐体に会社名を入れた概略図である。
【考案を実施するための最良の形態】
【００３５】
以下、本考案の好ましい一例を以下説明する。
【００３６】
本考案の構成物品を大別すると、例えば、アウターウェア１と、このアウターウェア１が縫合され、かつアウターウェア１が収納可能な袋体２と、紐体３と、着脱式の吊具４等とからなる。
【００３７】
袋体２は、使用者２０が本考案を首２１や肩２２に掛けた際に当接される物品で、この袋体２に折り畳んだ状態のアウターウェア１が収納される。
【００３８】
このアウターウェア１は袋体２の内側に縫合されている。具体的には、アウターウェア１を構成するフード１ａの一端を袋体２の内側２ｅに縫合する。また、同じくアウターウェア１を構成するコート本体１ｂの一端を袋体２の内側２ｅに縫合する。このようにアウターウェア１を袋体２の内側２ｅに縫合することによりアウターウェア１と袋体２が一体となるため、アウターウェア１だけが紛失することはない。袋体２にアウターウェア１が収納されている状態にあっては、袋体２はある程度の厚みがあり、外部からの衝撃を受けた際にも衝撃を緩和することもできるため、予期せぬ事故等も回避できる。
【００３９】
そして、このアウターウェア１を袋体２から取り出す際は、袋体２に設けたファスナー２ｃを利用することによって行う他、図示しない面ファスナー等を利用してもよい。そして、アウターウェア１を使用した後は、アウターウェア１を折畳んで袋体２に収納する。なお、ここでは、アウターウェア１を袋体２の内側２ｅに縫合した例を説明したが、アウターウェア１を袋体２に縫合せず、アウターウェア１が袋体２から取り外し可能な構成とすることも可能である。
【００４０】
ここで、アウターウェア１とは、例えば、レインコート、ウインドブレーカー等が挙げられるが、これらに限定されるものではない。その他、図８のように、アウターウェア１をレインコートやウインドブレーカーとした場合、レインコートの背部に文字や図形等を印刷する構成とすることも可能である。
【００４１】
この袋体２と紐体３の両端を縫合することによって、袋体２と紐体３が全体としてループ状に形成される。具体的には、袋体２の一方２ａと紐体３の一方３ａを縫合し、袋体２の他方２ｂと紐体３の他方３ｂを縫合することによって、袋体２と紐体３でループ状に形成される。
【００４２】
紐体３の長さは本考案の使用者２０の体躯にもよるが、一般的な大人用であれば５０センチ程度、子ども用であればさらに短くするのが望ましい。なお、使用者２０の体躯に合わせることができるように、紐体３の長さを調節できる調整具を設ける構成でもよい。
【００４３】
また、図９のように、紐体３の表面３ｃ及び／又は裏面３ｄに、会社のロゴマークやイメージキャラクタ、商品名等を印刷して販売・無料配布等を行うことにより、会社、商品の広告的な役割を果たすことができる。
【００４４】
そして、紐体３の少なくとも折り返し部３ｅ付近において着脱式の吊具４を介在させる。ここで、着脱式の吊具４の構成の構成物品を説明すると、係合体５、装着具８、連結紐７からなる。
【００４５】
係合体５は、一対の雄体５ａ、雌体５ｂを着脱自由に係合できるもので、雄体５ａの側部に設けられたロック解除用の押片５ａ１を内方へ押すとロックが外れて分離可能となる。
【００４６】
そして、紐体３への係合体５の取り付けは、雄体５ａの取り付け穴５ａ２に紐体３の一端部を通して折り返し、その折り返し部３ｅ付近を重ね合わせて縫い合わせることによって行われる。
【００４７】
また、係合体５と携帯品３０を装着する装着具８は、連結紐７で連結されている。具体的には、雌体５ｂの取り付け穴５ｂ１に連結紐７の一端部を通し、さらに装着具８のリングにも通して折り返し、この連結紐６の一端部と他端部を重ね合わせて縫い合わせることによって行われる。
【００４８】
装着具８には、例えば、携帯品３０である携帯電話を連結するストラップや、デジタルカメラを連結するストラップ、ポータブルオーディオプレーヤーやポータブルラジオ等を連結するストラップ、ペットボトルホルダー、なす環、スナップフック等、本考案の使用者２０の用途に合わせて装着することができる。
【００４９】
なお、図４で示したように、袋体２と着脱式の吊具４との間には、安全ジョイント９を介在させることができる。この安全ジョイント９は、一定の力が加わると外れるため、特に子どもの思わぬ事故を回避することができる。
【００５０】
また、図７で示したように、袋体２の首２１や肩２２に当たる部分に冷却剤１０を設けることもできる。具体的には、袋体２の首２１や肩２２に当たる部分にポケット２ｄを設け、このポケット２ｄに冷却剤１０を充填することによって首２１や肩２２を冷すことができる。なお、ポケット２ｄ内に充填した冷却剤１０は、可撓性があるものとすることによって本考案の使用者の首２１や肩２２の形に合致するように変形自在となり、望ましい。その他、ポケットにカイロを充填することによって首や肩を温めることができる。
【００５１】
図示しないが、袋体２や紐体３に蛍光塗料や夜行塗料等を塗布した構成とすることもできる。この場合、より鮮やかな色彩で発光させることができ、また、暗闇において外部からの視認性を高めると共に、多彩な発光色を楽しむことができる。
【００５２】
さらに、袋体２等にＬＥＤ等の照明部１１を設ける構成としてもよい。この照明部１１を設けた構成の場合は、夜道等で自らの存在を知らせることができるため、交通事故の防止に役立つ。
【符号の説明】
【００５３】
１              アウターウェア
１ａ            フード
１ｂ            コート本体
２              袋体
２ａ            一方
２ｂ            多方
２ｃ            ファスナー
２ｄ            ポケット
２ｅ            内側
３              紐体
３ａ            一方
３ｂ            多方
３ｃ            表面
３ｄ            裏面
３ｅ            折り返し部
４              着脱式の吊具
５              係合体
５ａ            雄体
５ａ１          押片
５ａ２          取り付け穴
５ｂ            雌体
５ｂ１          取り付け穴
７              連結紐
８              装着具
９              安全ジョイント
１０            冷却剤
１１            照明部
２０            使用者
２１            首
２２            肩
３０            携帯品
【手続補正３】
【補正対象書類名】図面
【補正対象項目名】図８
【補正方法】変更
【補正の内容】
【図８】
0003156263.tif 000012
【手続補正４】
【補正対象書類名】図面
【補正対象項目名】図９
【補正方法】変更
【補正の内容】
【図９】
0003156263.tif 000013